(57)【要約】【課題】この発明は、コストの低廉化、リモコンの設定の容易化およびリモコンの操作の容易化が図れるデジタルテレビ放送受信機を提供することを目的とする。【解決手段】受信機本体と受信機を操作するためのリモコンとを備えたデジタルテレビ受信機において、リモコンは、リモコン本体とリモコン本体に配置変更可能に着脱自在に取り付けられる複数のキー部品とを備えており、受信機本体は、リモコン本体上に取り付けるキー部品およびそのキー部品の配置位置をユーザに選択させることにより、キー部品の配置図をユーザに作成させるためのキー配置変更用メニュー画面を表示させる第１手段、およびキー配置変更用メニュー画面上でのキー部品の配置図の作成が完了した場合には、作成されたキー部品の配置図に基づいて、受信機本体側のキー配置情報を変更させる第２手段を備えている。【選択図】図２
2007325019.tif 000002
【特許請求の範囲】
【請求項１】
受信機本体と受信機を操作するためのリモコンとを備えたデジタルテレビ受信機において、
リモコンは、リモコン本体とリモコン本体に配置変更可能に着脱自在に取り付けられる複数のキー部品とを備えており、
受信機本体は、リモコン本体上に取り付けるキー部品およびそのキー部品の配置位置をユーザに選択させることにより、キー部品の配置図をユーザに作成させるためのキー配置変更用メニュー画面を表示させる第１手段、およびキー配置変更用メニュー画面上でのキー部品の配置図の作成が完了した場合には、作成されたキー部品の配置図に基づいて、受信機本体側のキー配置情報を変更させる第２手段を備えていることを特徴とするデジタルテレビ受信機。
【請求項２】
受信機本体は、受信機本体側のキー配置情報をリモコンにダウンロードさせるための第３手段を備えていることを特徴とする請求項１に記載のデジタルテレビ受信機。
【請求項３】
受信機本体は、
キー配置変更用メニュー画面上でのキー部品の配置図の作成が完了した場合には、キー部品の配置図に基づいて予め定められた操作上重要なキー部品がユーザによって選択されているか否かを判別する手段、
操作上重要なキー部品がユーザによって選択されている場合には、上記第２手段による処理を実行させる手段、
操作上重要なキー部品がユーザによって選択されていない場合には、ユーザによって選択されているキー部品の中に、ユーザによって選択されていない操作上重要なキー部品を代用できるキー部品が存在しているか否かを判別する手段、
ユーザによって選択されていない操作上重要なキー部品を代用可能なキー部品が存在していない場合には、キー部品の配置を再検討すべき旨を表示して、上記第１手段による処理を実行させる手段、
ユーザによって選択されていない操作上重要なキー部品を代用可能なキー部品が存在している場合には、ユーザによって選択されていない操作上重要なキー部品を上記代用可能なキー部品で代用することを受け入れるか、キー部品の配置を再検討するかをユーザに選択させるための選択画面を表示させる手段、
選択画面上で、キー部品の配置を再検討することがユーザによって選択された場合には、上記第１手段による処理を実行させる手段、ならびに
選択画面上で、ユーザによって選択されていない操作上重要なキー部品を上記代用可能なキー部品で代用することを受け入れることがユーザによって選択された場合には、ユーザによって選択されていない操作上重要なキー部品を上記代用可能なキー部品で代用できるように受信機本体側のソフトウエアを変更させるとともに上記第２手段による処理を実行させる手段、
を備えていることを特徴とする請求項１または２のいずれかに記載のデジタルテレビ受信機。
【発明の詳細な説明】
【技術分野】
【０００１】
この発明は、デジタルテレビ放送受信機に関する。
【背景技術】
【０００２】
デジタルテレビ放送受信機は従来のアナログテレビ放送受信機に比べて多機能であるため、リモートコントローラ（以下、リモコンという）のキー数が従来のアナログテレビ放送受信機のリモコンに比べて多くなっている。
【０００３】
このため、次のような対策がとられている。
（１）キー数が少なく主要な一部の機能のみに対応できる”簡単リモコン”と、全機能  に対応できる”通常リモコン”の２種類を用意する。
（２）リモコンキーに好みのキーコードを指定できるようにする。
（３）リモコンにタッチパネル付きの液晶表示器を設けて液晶表示器にキーを表示できるようにするとともに、受信機とリモコンとの間でキー配置情報を双方向で通信できるようにする。
【０００４】
上記対策では、従来に比べてコストが高くなる。また、上記（２）、（３）については、設定が難しい、操作が難しいという問題がある。
【発明の開示】
【発明が解決しようとする課題】
【０００５】
この発明は、コストの低廉化、リモコンの設定の容易化およびリモコンの操作の容易化が図れるデジタルテレビ放送受信機を提供することを目的とする。
【課題を解決するための手段】
【０００６】
請求項１に記載の発明は、受信機本体と受信機を操作するためのリモコンとを備えたデジタルテレビ受信機において、リモコンは、リモコン本体とリモコン本体に配置変更可能に着脱自在に取り付けられる複数のキー部品とを備えており、受信機本体は、リモコン本体上に取り付けるキー部品およびそのキー部品の配置位置をユーザに選択させることにより、キー部品の配置図をユーザに作成させるためのキー配置変更用メニュー画面を表示させる第１手段、およびキー配置変更用メニュー画面上でのキー部品の配置図の作成が完了した場合には、作成されたキー部品の配置図に基づいて、受信機本体側のキー配置情報を変更させる第２手段を備えていることを特徴とする。
【０００７】
請求項２に記載の発明は、請求項１に記載の発明において、受信機本体は、受信機本体側のキー配置情報をリモコンにダウンロードさせるための第３手段を備えていることを特徴とする。
【０００８】
請求項３に記載の発明は、請求項１乃至２に記載の発明において、受信機本体は、キー配置変更用メニュー画面上でのキー部品の配置図の作成が完了した場合には、キー部品の配置図に基づいて予め定められた操作上重要なキー部品がユーザによって選択されているか否かを判別する手段、操作上重要なキー部品がユーザによって選択されている場合には、上記第２手段による処理を実行させる手段、操作上重要なキー部品がユーザによって選択されていない場合には、ユーザによって選択されているキー部品の中に、ユーザによって選択されていない操作上重要なキー部品を代用できるキー部品が存在しているか否かを判別する手段、ユーザによって選択されていない操作上重要なキー部品を代用可能なキー部品が存在していない場合には、キー部品の配置を再検討すべき旨を表示して、上記第１手段による処理を実行させる手段、ユーザによって選択されていない操作上重要なキー部品を代用可能なキー部品が存在している場合には、ユーザによって選択されていない操作上重要なキー部品を上記代用可能なキー部品で代用することを受け入れるか、キー部品の配置を再検討するかをユーザに選択させるための選択画面を表示させる手段、選択画面上で、キー部品の配置を再検討することがユーザによって選択された場合には、上記第１手段による処理を実行させる手段、ならびに選択画面上で、ユーザによって選択されていない操作上重要なキー部品を上記代用可能なキー部品で代用することを受け入れることがユーザによって選択された場合には、ユーザによって選択されていない操作上重要なキー部品を上記代用可能なキー部品で代用できるように受信機本体側のソフトウエアを変更させるとともに上記第２手段による処理を実行させる手段を備えていることを特徴とする。
【発明の効果】
【０００９】
この発明によれば、コストの低廉化、リモコンの設定の容易化およびリモコンの操作の容易化が図れるようになる。
【発明を実施するための最良の形態】
【００１０】
以下、図面を参照して、この発明の実施例について説明する。
【実施例１】
【００１１】
図１は、デジタルテレビ放送受信機の構成を示している。
【００１２】
アンテナ１で受信された放送波はデジタルチューナ２に送られて、高周波処理および復調が行なわれ、トランスポート・ストリームとして出力される。ＤＥＭＵＸ３は、デジタルチューナ２から受け取ったトランスポート・ストリームを、映像データ、音声データおよびサービス情報に分離する。
【００１３】
ＤＥＭＵＸ３によって得られた映像データおよび音声データは、ＡＶデコーダ４に送られる。ＡＶデコーダ４は、ＤＥＭＵＸ３から送られてきた映像データおよび音声データに対して復号を行なう。ＡＶデコーダ４によって得られた映像信号および音声信号は、スイッチ８に送られる。
【００１４】
ＵＳＢ端子５は、画像ファイル等を記憶したＵＳＢメモリを接続したり、ＣＰＵ１９をリモコン１７に接続するため等に使用される。図１には図示されていないが、ＵＳＢ端子５は、ＣＰＵ１９にも接続されている。ＵＳＢ端子５に画像ファイル等を記憶したＵＳＢメモリが接続されている場合において、ＵＳＢメモリ内のデータを再生する場合には、ＵＳＢメモリ内から目的のデータが取得されてＵＳＢデコーダ６に送られる。ＵＳＢデコーダ６は、ＵＳＢメモリから送られてきたデータに対して復号を行なう。ＵＳＢデコーダ６によって得られたデータは、スイッチ８に送られる。ＶＴＲ等からの映像・音声信号は、Ｓ端子、Ｄ端子を有するＡＶ入力回路７を介してスイッチ８に送られる。
【００１５】
スイッチ８は、入力ソースが異なる入力信号のうち、ユーザによって指定された入力信号を選択して出力する。スイッチ８によって選択された映像信号は、映像処理回路１０、スケーラ１１、ＯＳＤ回路１２および映像出力回路１３を介してＦＰＤ（Flat Panel Display) モジュール２１に送られる。
【００１６】
映像処理回路１０は、映像のフォーマット変換（ＲＧＢ−ＹＣｂＣｒ変換）を行なうとともに、映像の輝度、色の濃さなどを変更する。スケーラ１１は、入力される映像の種類に応じた拡大縮小処理を行なう。また、ユーザが望む画面サイズ（ノーマル、ワイド、フルなど）への変換も行なう。ＯＳＤ回路１２は、メニュー、ステータス情報を表示するためのＯＳＤ情報を、映像信号に多重する。映像出力回路１３は、ＬＶＤＳなど、ＦＰＤモジュール２１の入力信号形式に映像信号を変換する。
【００１７】
スイッチ８によって選択された音声信号は、音声処理回路１４および音声出力回路１５を介してスピーカ１６に送られる。音声処理回路１４は、音量、音質などの調整を行なう。音声出力回路１５は、音声信号をスピーカ１６を駆動するための信号に変換する。
【００１８】
ＣＰＵ１９は、各部の制御を行なう。ＣＰＵ１９には、メモリ２０およびリモコン受光部１８が接続されている。メモリ２０は、ＣＰＵ１９のプログラムやデータを記憶する。リモコン受光部１８は、リモコン（リモートコントローラ）１７からの赤外線信号を受光し、電気信号に変換してＣＰＵ１９に与える。
【００１９】
なお、リモコン１７内部には、ＣＰＵ、記憶装置等を備えたマイコンが内蔵されており、記憶装置内にはリモコン１７のキー配置に関する情報（リモコンキー配置情報：どの位置にどのキーが配置されているかを示す情報））等が格納されている。この実施例では、リモコン１７からは、操作されたキーの位置とリモコンキー配置情報とに基づいて、操作されたキーに対応する機能に応じた信号が出力される。
【００２０】
図１に示すようなデジタルテレビ放送受信機では、ＵＳＢ端子５に接続されたＵＳＢメモリ内の画像ファイルなど、ＶＴＲと受信機との間の信号と異なるタイプの信号も入力される。そのため、ＵＳＢメモリ内の画像ファイルの選択操作など、従来のアナログテレビ放送受信機では必要でなかった操作をユーザが行なう必要がある。また、データ放送のようにユーザ参加型の放送も受信できるようになっている。このように、受信機の機能が多くなると、リモコン１７には、従来のアナログテレビ放送受信機のリモコンキー数（約３０）の２，３倍のキーを装備することになる。一般に、リモコン１７のキーが増えるとユーザが使いにくいリモコンとなる。
【００２１】
また、リモコンキーの数が多くなればなるほど、ユーザによるリモコンキーの使用頻度にもバラツキがでる。全てのキーを同じ頻度で使用するユーザもいれば、一部のキーのみ使用するユーザもいる。ユーザにとっては、自己が使用するリモコンキーのみが存在する方が使い易くなる。言い換えれば、自己が使用しないリモコンキーが存在しない方が使いやすくなる。
【００２２】
本実施例では、ユーザが希望するリモコンキー以外のリモコンキーを取り外すことができるとともに、キー配置も変更できるリモコン１７を採用している。
【００２３】
図２は、リモコン１７を構成する部品を示している。
【００２４】
リモコン１７を構成する部品には、リモコン本体１００と、リモコン本体１００に着脱自在に取り付けられる部品とがある。リモコン本体１００に着脱自在に取り付けられる部品には、複数の単体キー（これらをまとめて２０１で示す）、複数のキーから構成されるキー集合体２１１、２１２、２１３、２１４および２種類のスペーサ２２１、２２２がある。
【００２５】
キー集合体２１１は中央の決定キーと決定キーの上下左右に位置する４つの方向キー  とからなる。キー集合体２１２は、４種類のカラーキーからなる。キー集合体２１３は、チャンネル変更や音量変更に用いられるアップキーおよびダウンキーからなる。キー集合体２１４は、チャンネル選択や数字入力に用いられる１２個の数値キーからなる。
【００２６】
スペーサ２２１、２２２は、キーやキー集合体がリモコン本体１００に取り付けられた際に、隙間を塞ぐために用いられる。
【００２７】
図３は、図２のＩＩＩ−ＩＩＩ線に沿う断面図を示している。リモコン本体１００の上面には、図２および図３に示すように、キー固定用の突起１０１が格子状に配置されている。この例では、６列２１行の配列でキー固定用の突起が設けられている。また、１列目の２列目の隣り合う突起の間、３列目の４列目の隣り合う突起の間、５列目の６列目の隣り合う突起の間には、図３に示すように、プッシュスイッチ１０２が設けられている。
【００２８】
図４は、図３に示されている部分に単体キー２０１を装着した状態を示している。図４に示すように、単体キー２０１は、筒状体３０１と筒状体３０１に取り付けられた作動部３０２とを備えている。作動部３０２は、ユーザによって押下げられると、その先端部がプッシュスイッチ１０２を押圧するものであり、ユーザが作動部３０２を押下げていない場合には、プッシュスイッチ１０２を押圧していない状態に戻るようになっている。
【００２９】
なお、各キー集合体２１１、２１２、２１３、２１４内の各キーも同様な構造となっている。
【００３０】
受信機購入時には、リモコン１７はデフォルトのキー配置で組み立てられており、使用可能な状態となっている。そして、ユーザがリモコン１７のキー配置を変更したい場合には、ユーザによって組み立て直すことが可能となっている。
【００３１】
ユーザは、リモコン１７のキー配置を変更したい場合には、まず、デジタルテレビ放送受信機のメニュー画面上でリモコンキー配置を決定する。なお、この際の操作は、現在使用されているリモコン１７を用いて行なう。
【００３２】
図５は、リモコンキー配置を決定するためのメニュー画面を示している。
【００３３】
メニュー画面の左側にはリモコン本体の画像が、メニュー画面の右側にはリモコン本体に着脱自在に取り付けられる部品の各画像が表示されている。また、メニュー画面には、配置指定部５０、確定ボタン６０も表示される。
【００３４】
リモコン本体の画像の左側には、行番号１〜２１が表示されている。また、リモコン本体の画像の上側には、列を表すアルファベットＡ〜Ｆが表示されている。
【００３５】
リモコン本体に着脱自在に取り付けられる各部品の画像の近くには、部品番号（１）〜（２３）が表示されている。
【００３６】
配置指定部５０には、部品番号入力部５１と位置入力部５２とがある。ユーザは、リモコン本体に装着したい部品の部品番号を部品番号入力部５１に入力し、その配置位置を位置入力部５２に入力した後、リモコンの決定キーを押す。これにより、指定された部品が、リモコン本体の指定された配置位置に表示される。配置位置の指定は、指定した部品の最も左側位置のうちの最も上側位置を基準として指定する。
【００３７】
なお、予め重要な部品については、デフォルト状態において、リモコン本体上に配置しておくようにしてもよい。
【００３８】
このようにして、リモコン本体に装着したい全ての部品の配置指定が終了すると、つまり、キー配置図の作成が完了すると、キー配置図の作成が完了したことを受信機本体に通知するためにユーザは確定ボタン６０を押す。また、ユーザは、そのキー配置図を参照にして、リモコン１７の組み立てを行なう。図６にリモコン１７の組み立て例を示す。
【００３９】
メニュー画面によって指定されたリモコンキーの配置情報と、リモコン１７内のリモコンキーの配置情報とを一致させるために、ＵＳＢ端子５にリモコン１７を接続すると、デジタルテレビ放送受信機からリモコン１７にリモコンキー配置情報がダウンロードされる。ダウンロードが終了した場合には、例えば、ＦＰＤモジュールに「ダウンロードは完了しました」などのメッセージが表示される。
【００４０】
なお、リモコンキーの配置情報をダウンロードする際に、既存のメモリインタフェースや赤外線などの通信機能を利用してもよい。
【００４１】
図７は、ユーザがリモコンのキー配置を変更する手順を示している。
【００４２】
まず、デジタルテレビ放送受信機のメニュー画面上で、新たなキー配置図を作成する（ステップＳ１）。これにより、デジタルテレビ放送受信機内のリモコンキー配置情報が更新される。次に、ステップＳ１で作成したキー配置図に基づいて、リモコン１７を組み立てる（ステップＳ２）。次に、ＵＳＢ端子５にリモコン１７を接続する（ステップＳ３）。これにより、デジタルテレビ放送受信機内のリモコンキー配置情報がリモコン１７にダウンロードされ、リモコン１７内のリモコンキー配置情報が更新される。
【００４３】
図８は、図７のステップＳ１の詳細な処理手順を示している。
【００４４】
メニュー画面上でリモコン本体上に取り付けるキー部品およびそのキー部品の配置位置をユーザが選択することにより、キー配置図を作成する（ステップＳ１１）。キー配置図の作成が完成すると、ユーザは、確定の操作を行なう（ステップＳ１２）。この操作は、例えば、カーソルキーを操作することにより、確定ボタン６０を選択状態とした後に、決定キーを押すことにより行なわれる。
【００４５】
受信機は、ユーザが作成したキー配置図において、操作上の不具合がないか否かを判別する（ステップＳ１３）。操作上の不具合がないか否かは、例えば、方向キーや数字キー等のような操作上重要なキーがユーザによって選択されているか否かを判定することにより行なわれる。操作上の不具合がないと判別した場合には、受信機は、受信機内のリモコンキー配置情報をユーザが作成したキー配置図に対応する情報に更新する（ステップＳ１４）。そして、今回の処理を終了する。
【００４６】
上記ステップＳ１３において、操作上の不具合があると判別した場合には、ユーザが選択したキーの中に、欠如している重要なキーを代用できるキーが存在しているか否かを判別する（ステップＳ１５）。
【００４７】
代用できるキーが存在しない場合には、操作上の不具合があるためキー配置を再検討すべきであることを表示した後（ステップＳ１６）、ステップＳ１に戻る。この際、操作上の不具合がある理由を表示することが好ましい。
【００４８】
上記ステップＳ１５で代用できるキーが存在する場合には、代用キーによる操作を受け入れるか、キー配置を再検討するかをユーザに選択させるための選択画面を表示する（ステップＳ１７）。キー配置を再検討することが選択された場合には（ステップＳ１８でＮＯ）、ステップＳ１に戻る。
【００４９】
代用キーによる操作を受け入れることが選択された場合には（ステップＳ１８でＹＥＳ）、受信機内のリモコンキー配置情報をユーザが作成したキー配置図に対応する情報に更新するとともに、代用キーによる操作が行なえるようにソフトウエアを変更させる（ステップＳ１９）。そして、今回の処理を終了する。
【００５０】
代用キーが採用される場合の具体例について説明する。
【００５１】
（ａ）決定キーと方向キーとからなるキー集合体が選択されていないが、”１”〜”１２”の数値キーからなるキー集合体が選択されている場合
この場合には、数値キー”５”を決定キーとして、数値キー”２”、”４”、”８”、”６”を方向キーとして代用することが可能である。このような代用キーによる操作がユーザによって受入れられた場合には、この代用が可能となるように、受信機側のソフトウエアを変更する。この際、決定キーおよび４方向の方向キーを示す操作ガイド表示を、対応する代用キーの表示に変更させるようにする。
【００５２】
（ｂ）４つのカラーキーからなるキー集合体が選択されていない場合
この場合には、操作ガイド表示に４種類のカラーキーを表示するようにし、決定キーと方向キーとからなるキー集合体の左右方向キーでカラーキーを選択させ、決定キーで決定させるようにする。
【００５３】
上記実施例では、リモコン１７側にリモコンキー配置情報を保持させておき、リモコン１７からは、操作されたキーの位置とリモコンキー配置情報とに基づいて、操作されたキーに対応する機能に応じた信号を出力させるようにしているが、リモコン１７側にリモコンキー配置情報を保持させることなく、リモコン１７からは操作されたキーの位置を表す信号を出力させるようにしてもよい。この場合には、受信機本体側において、受信したリモコン信号（操作されたキーの位置を表す信号）と受信機本体側に保持されているリモコンキー配置情報から、操作されたキーの機能を判別することになる。
【図面の簡単な説明】
【００５４】
【図１】デジタルテレビ放送受信機の構成を示すブロック図である。
【図２】リモコン１７を構成する部品を示す平面図である。
【図３】図２のＩＩＩ−ＩＩＩ線に沿う断面図である。
【図４】図３に示されている部分に単体キー２０１を装着した状態を示す断面図である。
【図５】リモコンキー配置を決定するためのメニュー画面を示す模式図である。
【図６】リモコン１７の組み立て例を示す平面図である。
【図７】ユーザがリモコンのキー配置を変更する手順を示すフローチャートである。
【図８】図７のステップＳ１の詳細な処理手順を示すフローチャートである。
【符号の説明】
【００５５】
１７  リモコン
１９  ＣＰＵ
【図１】
2007325019.tif 000003
【図２】
2007325019.tif 000004
【図３】
2007325019.tif 000005
【図４】
2007325019.tif 000006
【図５】
2007325019.tif 000007
【図６】
2007325019.tif 000008
【図７】
2007325019.tif 000009
【図８】
2007325019.tif 000010